(57)【要約】【課題】照光表示器を有する押しボタン・スイッチを提供する。【解決手段】押しボタン・スイッチは、ハウジングと、ハウジングによって可動状態で支持されたスイッチ・アクチュエータと、押しボタン・スイッチの使用者に見えるような位置にハウジングによって表示された有機発光ダイオード表示と、スイッチ・アクチュエータがハウジングに対して動作した場合に、スイッチ・アクチュエータによって操作可能であるようにハウジングによって支持されるスイッチとを有する。スイッチの動作に応答して有機発光ダイオード表示を制御するように、制御機構回路を押しボタンに電気的に結合する。【選択図】図１
2005310772.tif 000002
【特許請求の範囲】
【請求項１】
押しボタン・スイッチであって、
ハウジングと、
ハウジングによって可動状態で支持されたスイッチ・アクチュエータと、
押しボタン・スイッチの使用者に見えるような位置にハウジングによって支持された有機発光ダイオード表示と、
スイッチ・アクチュエータがハウジングに対して動作した場合に、スイッチ・アクチュエータによって操作可能であるようにハウジングによって支持されるスイッチとを有する押しボタン・スイッチ。
【請求項２】
さらに、スイッチ・アクチュエータに装着された透明カバーを有し、したがって透明カバーが有機発光ダイオード表示を覆う、請求項１に記載の押しボタン・スイッチ。
【請求項３】
透明カバーが、スイッチ・アクチュエータとともに動作するようにスイッチ・アクチュエータに装着され、有機発光ダイオード表示は、スイッチ・アクチュエータが動作しても有機発光ダイオード表示が静止状態を維持するようにハウジングに装着される、請求項２に記載の押しボタン・スイッチ。
【請求項４】
透明カバーが、スイッチ・アクチュエータとともに動作するようにスイッチ・アクチュエータに装着され、有機発光ダイオード表示は、スイッチ・アクチュエータとともに動作するようにスイッチ・アクチュエータに装着される、請求項２に記載の押しボタン・スイッチ。
【請求項５】
押しボタン・スイッチであって、
ハウジングと、
ハウジングによって可動状態で支持されるスイッチ・アクチュエータと、
押しボタン・スイッチの使用者に見えるような位置にハウジングによって支持される有機発光ダイオード表示と、
スイッチ・アクチュエータがハウジングに対して動作した場合に、スイッチ・アクチュエータによって操作可能であるようにハウジングによって支持されるスイッチと、
ハウジングによって支持され、スイッチに応答して有機発光ダイオード表示を制御するように結合される制御機構回路とを有する押しボタン・スイッチ。
【請求項６】
さらに、スイッチ・アクチュエータに装着された透明カバーを有し、したがって透明カバーが有機発光ダイオード表示を覆う、請求項５に記載の押しボタン・スイッチ。
【請求項７】
透明カバーが、スイッチ・アクチュエータとともに動作するようにスイッチ・アクチュエータに装着され、有機発光ダイオード表示は、スイッチ・アクチュエータとともに動作するようにスイッチ・アクチュエータに装着され、制御機構回路は、スイッチ・アクチュエータとともに動作するようにスイッチに装着される、請求項６に記載の押しボタン・スイッチ。
【請求項８】
透明カバーが、スイッチ・アクチュエータとともに動作するようにスイッチ・アクチュエータに装着され、有機発光ダイオード表示が、スイッチ・アクチュエータとともに動作するようにスイッチ・アクチュエータに装着され、制御機構回路は、スイッチ・アクチュエータが動作しても、制御機構回路が静止状態を維持するようにハウジングに装着される、請求項６に記載の押しボタン・スイッチ。
【請求項９】
透明カバーが、スイッチ・アクチュエータとともに動作するようにスイッチ・アクチュエータに装着され、有機発光ダイオード表示は、スイッチ・アクチュエータが動作しても有機発光ダイオード表示が静止状態を維持するようにハウジングに装着され、制御機構回路は、スイッチ・アクチュエータが動作しても制御機構回路が静止状態を維持するようにハウジングに装着される、請求項６に記載の押しボタン・スイッチ。
【請求項１０】
スイッチの起動に応答して、有機発光ダイオード表示の表示を変更するように制御機構回路をプログラムする、請求項５に記載の押しボタン・スイッチ。
【請求項１１】
時間の経過に応答して、有機発光ダイオード表示の表示を変更するように制御機構回路をプログラムする、請求項５に記載の押しボタン・スイッチ。
【請求項１２】
制御機構回路が、制御機構回路を遠隔ステーションに結合する受信器具を有する、請求項５に記載の押しボタン・スイッチ。
【請求項１３】
制御機構回路を、受信器具によって遠隔ステーションからプログラムし、有機発光ダイオード表示の表示を変更する、請求項１２に記載の押しボタン・スイッチ。
【請求項１４】
遠隔受信器具がＲＦ受信器を有する、請求項１２に記載の押しボタン・スイッチ。
【請求項１５】
アセンブリであって、
ハウジングと、ハウジングによって可動状態で支持されたスイッチ・アクチュエータと、押しボタン・スイッチの使用者に見えるような位置にハウジングによって支持された有機発光ダイオード表示と、スイッチ・アクチュエータがハウジングに対して動作した場合に、スイッチ・アクチュエータによって操作可能であるようにハウジングによって支持されたスイッチを有する押しボタン・スイッチと、
スイッチの操作に応答して有機発光ダイオード表示を制御するように、押しボタン・スイッチに電気的に結合される制御機構回路とを有するアセンブリ。
【請求項１６】
さらに、スイッチ・アクチュエータに装着された透明カバーを有し、したがって透明カバーが有機発光ダイオード表示を覆う、請求項１５に記載の押しボタン・スイッチ。
【請求項１７】
有機発光ダイオード表示が、スイッチ・アクチュエータとともに動作するようにスイッチ・アクチュエータに装着され、制御機構回路は、スイッチ・アクチュエータが動作しても、制御機構回路が静止状態を維持するようにハウジングに装着される、請求項１５に記載の押しボタン・スイッチ。
【請求項１８】
有機発光ダイオード表示が、スイッチ・アクチュエータとともに動作するようにスイッチ・アクチュエータに装着され、制御機構回路が、スイッチ・アクチュエータとともに動作するようにスイッチ・アクチュエータに装着される、請求項１５に記載の押しボタン・スイッチ。
【請求項１９】
スイッチの起動に応答して、有機発光ダイオード表示の表示を変更するように制御機構回路をプログラムする、請求項１５に記載の押しボタン・スイッチ。
【請求項２０】
時間の経過に応答して、有機発光ダイオード表示の表示を変更するように制御機構回路をプログラムする、請求項１５に記載の押しボタン・スイッチ。
【請求項２１】
制御機構回路が、制御機構回路を遠隔ステーションに結合する受信器具を有する、請求項１５に記載の押しボタン・スイッチ。
【請求項２２】
制御機構回路を、受信器具によって遠隔ステーションからプログラムし、有機発光ダイオード表示の表示を変更する、請求項１５に記載の押しボタン・スイッチ。
【請求項２３】
遠隔受信器具がＲＦ受信器を有する、請求項２１に記載の押しボタン・スイッチ。
【発明の詳細な説明】
【技術分野】
【０００１】
本発明は押しボタン・スイッチ、特に照光表示器具を有する押ボタンスイッチに関する。
【背景技術】
【０００２】
照光表示器を組み込んだ押しボタン・スイッチは、アミューズメント、ゲーム類および自動販売機などの多様な用途に使用されている。このようなスイッチは通常、押しボタン、不透明な銘板、および銘板を照明する背面光で構成される。この方法は、１つの静止メッセージまたはグラフィックを有する単色の背景にしか対応しない。
【０００３】
主に計器類に使用されている照光押しボタン・スイッチのより最近の構成は、押しボタン、液晶表示（ＬＣＤ）盤、および液晶表示盤を照明する背面光を含む。あるいは、液晶表示盤を照明する光を盤の側部に装着することが知られている。このような押しボタン・スイッチは、押しボタン・スイッチの機能などの情報を使用者に伝達するために使用されてきた。
【発明の開示】
【発明が解決しようとする課題】
【０００４】
押しボタン・スイッチに液晶表示盤を使用することには、幾つかの問題がある。例えば、液晶表示盤は視野角が非常に狭い。狭い視野角は、使用者が、コンピュータ画面の内容を使用者以外の人に見られたくないと考えることが多いコンピュータなど、一部の用途では望ましい。しかし、表示を広告情報に使用するような多くの用途では、狭い視野角は損失である。
【０００５】
また、液晶表示盤は、比較的遅い応答時間を有し、これは通常、待ち時間と呼ばれる。この問題は、低温で悪化し、したがって低温の用途では補助加熱を必要とすることがある。
【０００６】
さらに、液晶表示盤は背面照明を必要とし、これは押しボタン・スイッチの費用を増大させ、液晶表示盤を使用する押しボタン・スイッチの電力消費量も増大させる。
【０００７】
本発明は、以上または他の問題のうち１つまたは複数を克服する押しボタン・スイッチを指向する。
【課題を解決するための手段】
【０００８】
本発明の１つの態様によると、押しボタン・スイッチはハウジング、スイッチ・アクチュエータ、有機発光ダイオード表示、およびスイッチを有する。スイッチ・アクチュエータは、ハウジングによって可動状態で支持される。有機発光ダイオード表示は、押しボタン・スイッチの使用者に見えるような位置にハウジングによって支持される。スイッチは、スイッチ・アクチュエータがハウジングに対して動作した場合に、スイッチ・アクチュエータによって操作可能であるようにハウジングによって支持される。
【０００９】
本発明の別の態様によると、押しボタン・スイッチはハウジング、スイッチ・アクチュエータ、有機発光ダイオード表示、スイッチ、および制御機構回路を有する。スイッチ・アクチュエータは、ハウジングによって可動状態で支持される。有機発光ダイオード表示は、押しボタン・スイッチの使用者に見えるような位置にハウジングによって支持される。スイッチは、スイッチ・アクチュエータがハウジングに対して動作した場合に、スイッチ・アクチュエータによって操作可能であるようにハウジングによって支持される。制御機構回路は、ハウジング内に支持され、スイッチに応答して有機発光ダイオード表示を制御するように結合される。
【００１０】
本発明のさらに別の態様によると、アセンブリは押しボタン・スイッチおよび制御機構回路を有する。押しボタン・スイッチはハウジング、ハウジングによって可動状態で支持されたスイッチ・アクチュエータ、押しボタン・スイッチの使用者に見えるような位置にハウジングによって支持された有機発光ダイオード表示、およびスイッチ・アクチュエータがハウジングに対して動作した場合に、スイッチ・アクチュエータによって操作可能であるようにハウジングによって支持されたスイッチを有する。制御機構回路は、スイッチの操作に応答して有機発光ダイオード表示を制御するように、押しボタン・スイッチに電気的に結合される。
【００１１】
以上およびその他の特徴および利点は、図面と組み合わせて本発明をさらに詳細に考察することにより、さらに明白になる。
【発明を実施するための最良の形態】
【００１２】
図１は、本発明の第１の実施形態として、押しボタン・スイッチ１０を示す。押しボタン・スイッチ１０は、相互に取り付けたボタン・ハウジング１２およびスイッチ・ハウジング１４を含む。図１で示すように、ボタン・ハウジング１２はベゼル１６を有してよく、アミューズメント、ゲーム類または自動販売機などの装置への押しボタン・スイッチ１０の装着を容易にするために１８で外ねじを切ってもよい。
【００１３】
ボタン・ハウジング１２は、有機発光ダイオード（ＯＬＥＤ）表示２０、制御機構回路２２、透明カバー２４、および滑動アクチュエータ２６を収容する。透明カバー２４は、透明なレンズ・カバーでよい。制御機構回路２２は、ボタン・ハウジング１２によって形成された複数のタブ２８に取り付けることが適切である。
【００１４】
有機発光ダイオード（ＯＬＥＤ）表示は周知のものであり、例えばDupontから入手してよい。一般に、有機発光ダイオードは、ガラスまたはプラスチック基板に発光ポリマの薄膜を適用した複合材である。電界が存在すると、ポリマが光を発する。
【００１５】
有機発光ダイオード（ＯＬＥＤ）表示２０を制御機構回路２２に取り付け、透明カバー２４を滑動アクチュエータ２６の外周に取り付けることが適切である。例えば、透明カバー２４は、滑動アクチュエータ２６上にスナップ留めするよう配置することができる。したがって、有機発光ダイオード（ＯＬＥＤ）表示２０は、滑動アクチュエータ２６が動作しても静止したままである。しかし、透明カバー２４は、滑動アクチュエータ２６とともに動作してもよい。図１０で示すように、透明カバー２４および滑動アクチュエータ２６は、透明カバー２４および滑動アクチュエータ２６がボタン・ハウジング１２に対して動作できるように、タブ２８に切り欠きを設けてもよい。切り欠きは、滑動アクチュエータ２６の切り欠きの底部が押しボタン・スイッチ１０の非押下位置でタブ２８と突き当たるように形成することができる。この方法で、有機発光ダイオード（ＯＬＥＤ）表示２０、透明カバー２４、および滑動アクチュエータ２６はボタン・ハウジング１２に保持される。
【００１６】
スイッチ・ハウジング１４は、滑動アクチュエータ２６に応答してスイッチ３０を動作させるスイッチ・オペレータ３２を有するマイクロスイッチなどのスイッチ３０を収容する。表示の相互接続部３４が、制御機構回路２２とスイッチ３０とを相互接続する。制御機構回路２２は、コネクタまたははんだ接続部（図示せず）によって有機発光ダイオード（ＯＬＥＤ）表示２０に接続することができる。したがって、有機発光ダイオード（ＯＬＥＤ）表示２０は、スイッチ３０の起動に応答して制御機構回路２２によって制御される。また、複数のピン３６を設けて、制御機構回路２２および／またはスイッチ３０を外部器具と結合させる。
【００１７】
使用者は、押しボタン１０を操作する際に、透明カバー２４を押下して、スイッチ・オペレータ３２を通してスイッチ３０を起動するように、ばね３８のバイアスに抗して滑動アクチュエータ２６を押下する。使用者が透明カバー２４から圧力を解放すると、ばね３８が透明カバー２４を元の位置へと復帰させる。
【００１８】
図２は、本発明の第２の実施形態としての押しボタン・スイッチ４０を示す。押しボタン・スイッチ４０は、相互に取り付けた押しボタン４２およびスイッチ・ハウジング４４を含む。ボタン・ハウジング４２は、ベゼル４６を有してよく、アミューズメント、ゲーム類または自動販売機などの装置への押しボタン・スイッチ４０の装着を容易にするために４８で外ねじを切ってもよい。
【００１９】
ボタン・ハウジング４２は、有機発光ダイオード（ＯＬＥＤ）表示５０、制御機構回路５２、透明カバー５４、および滑動アクチュエータ５６を収容する。透明カバー５４は、透明なレンズ・カバーでよい。制御機構回路５２を滑動アクチュエータ５６の内周に取り付け、有機発光ダイオード（ＯＬＥＤ）表示５０を制御機構回路５２に取り付け、透明カバー５４を滑動アクチュエータ５６の外周に取り付ける。例えば、透明カバー５４は、滑動アクチュエータ５６上にスナップ留めするように配置してよい。したがって、有機発光ダイオード（ＯＬＥＤ）表示５０、制御機構回路５２および透明カバー５４は、滑動アクチュエータ５６が動作するにつれて動作する。
【００２０】
スナップ機構を使用して、滑動アクチュエータ５６のバレル５６ａをボタン・ハウジング４２のバレル４２ａに取り付けることができる。このスナップ機構によって、滑動アクチュエータ５６のトレイ５６ｂは、ボタン・ハウジング４２のトレイ４２ｂに突き当たるまで（図２で見て右側に）動作する。滑動アクチュエータ５６は、ばね６８の張力によって（図２で見て左側に）戻るが、この戻りは、スナップ機構によって生成された止め部までとなる。この止め部は、例えばスイッチ・オペレータ６２に近い方の滑動アクチュエータ５６のバレル５６ａの端部にあってよく、したがってスイッチ・ハウジング４２のバレルの端部にある内向きのフランジ４２ｃと突き当たる。
【００２１】
有機発光ダイオード（ＯＬＥＤ）表示５０および制御機構回路２２は、例えばスナップ機構または接着剤によって滑動アクチュエータ５６に取り付けることができる。
【００２２】
スイッチ・ハウジング４４は、滑動アクチュエータ５６に応答してスイッチ６０を操作するスイッチ・オペレータ６２を有するマイクロスイッチなどのスイッチ６０を収容する。表示の相互接続部６４が、制御機構回路５２とスイッチ６０とを相互接続する。制御機構回路５２は、コネクタまたははんだ接続部（図示せず）によって有機発光ダイオード（ＯＬＥＤ）表示５０に接続することができる。したがって、有機発光ダイオード（ＯＬＥＤ）表示５０は、スイッチ６０の起動に応答して制御機構回路５２によって制御される。また、複数のピン６６を設けて、制御機構回路５２および／またはスイッチ６０を外部器具と結合させる。
【００２３】
使用者は、押しボタン４０を操作する際に、透明カバー５４を押下して、スイッチ・オペレータ６２を通してスイッチ６０を起動するように、ばね６８のバイアスに抗して滑動アクチュエータ５６を押下する。使用者が透明カバー５４から圧力を解放すると、ばね６８が透明カバー５４を元の位置へと復帰させる。
【００２４】
図３は、本発明の第３の実施形態としての押しボタン・スイッチ７０を示す。押しボタン・スイッチ７０は、相互に適切に取り付けた押しボタン７２およびスイッチ・ハウジング７４を含む。ボタン・ハウジング７２は、ベゼル７６を有してよく、アミューズメント、ゲーム類または自動販売機などの装置への押しボタン・スイッチ７０の装着を容易にするために７８で外ねじを切ってもよい。
【００２５】
ボタン・ハウジング７２は、有機発光ダイオード（ＯＬＥＤ）表示８０、透明カバー８２、および滑動アクチュエータ８４を収容する。透明カバー８２は、透明なレンズ・カバーでよい。有機発光ダイオード（ＬＯＬＥＤ）表示８０を滑動アクチュエータ８６の内周に取り付け、透明カバー８２を滑動アクチュエータ８４の外周に取り付ける。例えば、透明カバー８２は、滑動アクチュエータ８４上にスナップ留めするように配置してよい。したがって、有機発光ダイオード（ＯＬＥＤ）表示８０および透明カバー８２は、滑動アクチュエータ８４が動作するにつれて動作する。有機発光ダイオード（ＯＬＥＤ）表示８０は、例えばスナップ機構または接着剤によって滑動アクチュエータ８４に取り付けることができる。
【００２６】
スナップ機構を使用して、滑動アクチュエータ８４を図２に関して上記で検討したようにボタン・ハウジング７２に取り付けることができる。
【００２７】
スイッチ・ハウジング７４は、滑動アクチュエータ８４に応答してスイッチ８６を操作するスイッチ・オペレータ８８を有するマイクロスイッチなどのスイッチ８６を収容する。スイッチ・ハウジング７４は制御機構回路９０も支持する。表示の相互接続部９２が、制御機構回路９０とスイッチ８６とを相互接続する。制御機構回路９０は、コネクタまたははんだ接続部（図示せず）によって有機発光ダイオード（ＯＬＥＤ）表示８０に接続することができる。したがって、有機発光ダイオード（ＯＬＥＤ）表示８０は、スイッチ８６の起動に応答して制御機構回路９０によって制御される。また、表示の相互接続部９２の一部として、複数のピン９４を設ける。
【００２８】
使用者は、押しボタン７０を操作する際に、透明カバー８２を押下して、スイッチ・オペレータ８８を通してスイッチ８６を起動するように、ばね９６のバイアスに抗して滑動アクチュエータ８４を押下する。使用者が透明カバー８２から圧力を解放すると、ばね９６が透明カバー８２を元の位置へと復帰させる。
【００２９】
図４は、本発明の第４の実施形態としての押しボタン・スイッチ１００を示す。押しボタン・スイッチ１００は、ボタン・ハウジング１０２およびスイッチ・ハウジング１０４を含む。図４で示すように、ボタン・ハウジング１０２は、ベゼル１０６を有してよく、アミューズメント、ゲーム類または自動販売機などの装置への押しボタン・スイッチ１００の装着を容易にするために１０で外ねじを切ってもよい。
【００３０】
ボタン・ハウジング１０２は、有機発光ダイオード（ＯＬＥＤ）表示１１０、透明カバー１１２、および滑動アクチュエータ１１４を収容する。透明カバー１１２は、透明なレンズ・カバーでよい。有機発光ダイオード（ＯＬＥＤ）表示１１０を、ボタン・ハウジング１０２によって形成された複数のタブ１１６に取り付ける。
【００３１】
透明カバー１１２を滑動アクチュエータ１１４の外周に取り付ける。例えば、透明カバー１１２は、滑動アクチュエータ１１４上にスナップ留めするように配置してよい。したがって、透明カバー１１２は滑動アクチュエータ１１４とともに動作する。透明カバー１１２および滑動アクチュエータ１１４は、透明カバー１１２および滑動アクチュエータ１１１４がボタン・ハウジング１０２に対して動作できるように、タブ１１６に切り欠きを設けてもよい。切り欠きは、滑動アクチュエータ１１４が押しボタン・スイッチ１００の非押下位置でタブ１１６と突き当たるように形成することができる。この方法で、透明カバー１１２および滑動アクチュエータ１１４はボタン・ハウジング１０２に保持される。
【００３２】
スイッチ・ハウジング１０４は、滑動アクチュエータ１１４に応答してスイッチ１１８を操作するスイッチ・オペレータ１２０を有するマイクロスイッチなどのスイッチ１１８を収容する。スイッチ・ハウジング１０４は制御機構回路１２２も支持する。表示の相互接続部１２４が、制御機構回路１２２とスイッチ１１８とを相互接続する。制御機構回路１２２は、コネクタまたははんだ接続部（図示せず）によって有機発光ダイオード（ＯＬＥＤ）表示１１０に接続することができる。したがって、有機発光ダイオード（ＯＬＥＤ）表示１１０は、スイッチ１１８の起動に応答して制御機構回路１１２によって制御される。また、表示の相互接続部１２４の一部として、複数のピン１２６を設ける。
【００３３】
使用者は、押しボタン１００を操作する際に、透明カバー１１２を押下して、スイッチ・オペレータ１２０を通してスイッチ１１８を起動するように、ばね１２８のバイアスに抗して滑動アクチュエータ１１４を押下する。使用者が透明カバー１１２から圧力を解放すると、ばね１２８が透明カバー１１２を元の位置へと復帰させる。
【００３４】
図５は、ボタン・ハウジング１２／４２／７２／１０２、透明カバー２４／５４／８２／１１２および想像線で示した有機発光ダイオード（ＯＬＥＤ）表示２０／５０／８０／１１０を含む押しボタン・スイッチ１０／４０／７０／１００の前面図である。
【００３５】
制御機構回路１４０が図６で図示され、上述した制御機構回路２２、５２、９０および１２２のいずれかで使用することができる。制御機構１４０は電源１４２、マイクロコントローラ１４４、および表示ドライバ１４６を含む。電源１４２は電力の管理および監視機能を実行することができる。マイクロコントローラ１４４は入力／出力、表示ドライバの管理、および表示の更新機能を担当し、メモリ（例えばフラッシュおよびＲＡＭ）を含む。表示ドライバ１４６は、行および列の選択、バッファのリフレッシュ、および有機発光ダイオード（ＯＬＥＤ）表示２０／５０／８０／１１０の表示制御機能を適宜管理する。表示相互接続部３４／６４／９２／１２４は、制御機構回路１４０をスイッチ３０／６０／８６／１１８および有機発光ダイオード（ＯＬＥＤ）表示２０／５０／８０／１１０と適宜、相互接続する。
【００３６】
制御機構回路１４０によって、様々な機能を実行するように押しボタン・スイッチをプログラムすることができる。例えば図７で示すように、有機発光ダイオード（ＯＬＥＤ）表示２０／５０／８０／１１０が命令表示１５０からフィードバック表示１５２へと変化するように、制御機構回路１４０をプログラムする。したがって、本発明の押しボタン・スイッチは、関連する機械を使用する際の使用者の経験を豊富にする。
【００３７】
あるいは、図８で示すように、有機発光ダイオード（ＯＬＥＤ）表示２０／５０／８０／１１０が、例えば押しボタン・スイッチ１０／４０／７０／１００を使用するゲーム機をポーカー機として使用する場合に、引き表示１５４を、押しボタン・スイッチ１０／４０／７０／１００を使用するゲーム機をスロット・マシンとして使用する場合に、スピン表示１５６をなど、押しボタン・スイッチ１０／４０／７０／１００の複数の機能を表示するように、制御機構回路１４０をプログラムする。したがって、機械およびその押しボタン・スイッチを容易に再プログラムして、機械をさらに多機能にすることができる。
【００３８】
さらなる代替例として、図９で示すような制御機構回路１４０は、有機発光ダイオード（ＯＬＥＤ）表示２０／５０／８０／１１０が広告１５８および１６０のような１つまたは複数の広告を表示するようにプログラムすることができる。
【００３９】
任意選択で、制御機構回路１４０はＲＦチャネルによって制御機構回路１４０を遠隔ステーションと結合するために、ＲＦ送受信器１４８を含むことができる。この方法で、押しボタン・スイッチ１０／４０／７０／１００および／または押しボタン・スイッチ１０／４０／７０／１００を使用する機械を、遠隔でプログラムおよび再プログラムすることができる。
【００４０】
有機発光ダイオード（ＯＬＥＤ）表示を組み込んだ押しボタン・スイッチは、先行技術に対して多くの利点を提供する。例えば、有機発光ダイオード（ＯＬＥＤ）表示は、広い視野角を有し、したがってその表示は、機械に近づく使用者が、さらに容易に見ることができる。また、有機発光ダイオード（ＯＬＥＤ）表示は、非常に高速の応答時間を有し、これによって表示は、使用者の経験を損なうことなく、機械の使用中に迅速に変更することができる。さらに、有機発光ダイオード（ＯＬＥＤ）表示は、背面光を必要とせず、したがって機械の作成および使用にかかる費用が減少する。
【００４１】
本発明の特定の変形について、以上で検討してきた。本発明の当業者には、他の変形が思い浮かぶ。例えば上述したように、制御機構回路は、スイッチの動作に応答して有機発光ダイオード表示の表示を変更するようにプログラムしてよい。追加的または代替的に、制御機構回路は、時間の経過に応答して、または他の何らかの要因に応答して有機発光ダイオード表示の表示を変更するようにプログラムしてよい。
【００４２】
また、上述したように、制御機構回路１４０は、ＲＦチャネルによって制御機構回路１４０を遠隔ステーションと結合するＲＦ送受信器１４８を含む。しかし、ＲＦ送受信器１４８以外の受信器具で、制御機構回路１４０を遠隔ステーションに結合してもよい。例えば、受音または受光装置を使用して、制御機構回路１４０を遠隔ステーションに結合することができる。さらなる代替例として、制御機構回路１４０を遠隔ステーションに結線で接続することができる。
【００４３】
さらに、制御機構回路２０／５２／９０／１２２は、押しボタン・スイッチのハウジングで支持されるように図示されている。代替的に、制御機構回路２２／５２／９０／１２２は、押しボタン・スイッチのハウジングで支持する必要がない。例えば、制御機構回路２２／５２／９０／１２２は、押しボタン・スイッチを装着した機械で支持することができる。
【００４４】
さらに、スイッチ３０／６０／８６／１１８は、以上ではマイクロスイッチと記載されている。代替的に、スイッチ３０／６０／８６／１１８は、磁気スイッチ、光スイッチなど、他の適切なタイプのスイッチでよい。
【００４５】
したがって、本発明の説明は例示としてのみ解釈され、本発明を実施する最善のモードを当業者に表示することを目的とする。本発明の精神から逸脱することなく、細部を有意に変更することができ、請求の範囲内にある全ての変形の独占的な使用が留保される。
【図面の簡単な説明】
【００４６】
【図１】本発明の第１の実施形態による押しボタン・スイッチを示す。
【図２】本発明の第２の実施形態による押しボタン・スイッチを示す。
【図３】本発明の第３の実施形態による押しボタン・スイッチを示す。
【図４】本発明の第４の実施形態による押しボタン・スイッチを示す。
【図５】図１から図４で示した押しボタン・スイッチの前面図である。
【図６】図１から図４の押しボタン・スイッチに関連して使用可能な例示的制御機構を示す。
【図７】図１から図４の押しボタン・スイッチにプログラムできる例示的表示を示す。
【図８】図１から図４の押しボタン・スイッチにプログラムできる例示的表示を示す。
【図９】図１から図４の押しボタン・スイッチにプログラムできる例示的表示を示す。
【図１０】図１および図４の実施形態にある滑動アクチュエータの動作を可能にする滑動アクチュエータ内の切り欠きを示す。
【符号の説明】
【００４７】
１０  押しボタン・スイッチ
１２  ボタン・ハウジング
１４  スイッチ・ハウジング
１６  ベゼル
１８  外ねじ
２０  有機発光ダイオード（ＯＬＥＤ）表示
２２  制御機構回路
２４  透明カバー
２６  滑動アクチュエータ
２８  タブ
３０  スイッチ
３２  スイッチ・オペレータ
３４  相互接続部
３６  ピン
３８  ばね
４０  押しボタン・スイッチ
４２  ボタン・ハウジング
４２ａ  バレル
４２ｂ  トレイ
４２ｃ  フランジ
４４  スイッチ・ハウジング
４６  ベゼル
４８  外ねじ
５０  有機発光ダイオード（ＯＬＥＤ）表示
５２  制御機構回路
５４  透明カバー
５６  滑動アクチュエータ
５６ａ  バレル
５６ｂ  トレイ
６０  スイッチ
６２  スイッチ・オペレータ
６４  相互接続部
６６  ピン
６８  ばね
７０  押しボタン・スイッチ
７２  ボタン・ハウジング
７４  スイッチ・ハウジング
７６  ベゼル
７８  外ねじ
８０  有機発光ダイオード（ＯＬＥＤ）表示
８２  透明カバー
８４  滑動アクチュエータ
８６  スイッチ
８８  スイッチ・オペレータ
９０  制御装置回路
９２  相互接続部
９４  ピン
９６  ばね
１００  押しボタン・スイッチ
１０２  ボタン・ハウジング
１０４  スイッチ・ハウジング
１０６  ベゼル
１０８  外ねじ
１１０  有機発光ダイオード（ＯＬＥＤ）表示
１１２  透明カバー
１１４  滑動アクチュエータ
１１６  タブ
１１８  スイッチ
１２０  スイッチ・オペレータ
１２２  制御機構回路
１２４  相互接続部
１２６  ピン
１２８  ばね
１４０  制御機構回路
１４２  電源
１４４  マイクロコントローラ
１４６  表示ドライバ
１４８  ＲＦ送受信器
１５０  命令表示
１５２  フィードバック表示
１５４  引く表示
１５６  スピン表示
１５８  広告
１６０  広告
【図１】
2005310772.tif 000003
【図２】
2005310772.tif 000004
【図３】
2005310772.tif 000005
【図４】
2005310772.tif 000006
【図５】
2005310772.tif 000007
【図７】
2005310772.tif 000008
【図８】
2005310772.tif 000009
【図９】
2005310772.tif 000010
【図１０】
2005310772.tif 000011
【図６】
2005310772.tif 000012